(57)【要約】【課題】  水没等の水濡れ状態によるハードウェアの故障を減らし、本体内のデータの消失を低減可能な携帯端末装置を提供する。【解決手段】  水没検出部１６は携帯電話機１本体が水没した時に水が浸入しやすい箇所に設置されており、水が浸入した時に水没状態を検出し、制御部１４に対して水没状態の信号を送る。制御部１４は水没検出部１６からの水没状態の信号を受けて水没状態を検出すると、電源遮断回路２０に対して電源遮断信号を送る。電源遮断回路２０は制御部１４から電源遮断信号を受けると、電源２１から携帯電話機１内部の各部へと供給されている電源を遮断し、携帯電話機１内部で電源２１と電源遮断回路２０との間以外には電源が供給されなくする。【選択図】      図１                                                  
2005311637.tif 000002
【特許請求の範囲】
【請求項１】
本体の内部回路に電源を供給する手段と、本体の少なくとも液体への水没を含む水濡れ状態を検出する検出手段とを含む携帯端末装置であって、前記検出手段による前記水濡れ状態の検出時に前記内部回路への電源の供給を遮断する電源遮断回路を有することを特徴とする携帯端末装置。
【請求項２】
前記検出手段は、前記水濡れ状態の検出時に水没状態信号を出力することを特徴とする請求項１記載の携帯端末装置。
【請求項３】
前記電源遮断回路は、前記内部回路が前記液体で短絡する前に前記電源を遮断し、前記内部回路の短絡を防止することを特徴とする請求項１または請求項２記載の携帯端末装置。
【請求項４】
前記電源を供給する手段と前記電源遮断回路とそれらの間の配線とに対して前記水没状態による短絡を防止する処理を施したことを特徴とする請求項１から請求項３のいずれか記載の携帯端末装置。
【請求項５】
本体の内部回路に電源を供給する手段と、本体の少なくとも液体への水没を含む水濡れ状態を検出する検出手段とを含む携帯端末装置に用いられる水没保護回路であって、前記検出手段による前記水濡れ状態の検出時に前記内部回路への電源の供給を遮断する電源遮断回路を有することを特徴とする水没保護回路。
【請求項６】
前記検出手段は、前記水濡れ状態の検出時に水没状態信号を出力することを特徴とする請求項５記載の水没保護回路。
【請求項７】
前記電源遮断回路は、前記内部回路が前記液体で短絡する前に前記電源を遮断し、前記内部回路の短絡を防止することを特徴とする請求項５または請求項６記載の水没保護回路。
【請求項８】
前記電源を供給する手段と前記電源遮断回路とそれらの間の配線とに対して前記水没状態による短絡を防止する処理を施したことを特徴とする請求項５から請求項７のいずれか記載の水没保護回路。
【発明の詳細な説明】
【技術分野】
【０００１】
本発明は携帯端末装置及びそれに用いる水没保護回路に関し、特に水没等の水濡れ検出手段を備える携帯電話機に関する。
【背景技術】
【０００２】
近年、携帯電話機においては、その小型化がいっそう進められており、いつでも持ち歩くことが可能となっているが、その反面、ちょっとした不注意で本体を落下させ、水没させてしまうことが考えられる。
【０００３】
従来、携帯電話機では、電池を取り外した時にユーザが水没等の水濡れを確認できるように、水没等の水濡れを検出するための水濡れ判定ラベルが貼られており、その水濡れ判定ラベルが水没等によって一旦水に濡れると変色して（あるいは、インクが水に滲んで）、水に濡れたことが一目で確認できるようになっている（例えば、特許文献１，２参照）。
【０００４】
しかしながら、携帯電話機本体が水没等の水濡れ状態となっても、その際に水濡れ判定ラベルが水濡れ状態とならなければ、携帯電話機本体の水濡れ状態を検出することができないため、電極を用いて水濡れ状態によるその電極間の導通を検出して携帯電話機本体の水濡れ状態を検出する方法も提案されている（例えば、特許文献３参照）。
【０００５】
【特許文献１】特開２００３−２８３６１９号公報
【特許文献２】特開２００１−１１９４５９号公報
【特許文献３】特開２００２−１１１８３８号公報
【発明の開示】
【発明が解決しようとする課題】
【０００６】
上述した従来の携帯電話機では、水没等の水濡れ状態となることによる故障を修理する際に、水濡れ判定ラベル等によって本体の水濡れ状態を検出する方法が提案されている。
【０００７】
しかしながら、最近の携帯電話機では、電話番号を記憶するための電話帳機能のほかに、住所録やカメラ画像等の多くの個人データが格納可能となっており、水没等の水濡れ状態によるハード的故障で、これらのデータが失われてしまう可能性がある。この問題は上記の水没等の水濡れ状態を検出する方法では対処することができない。
【０００８】
そこで、本発明の目的は上記の問題点を解消し、水没等の水濡れ状態によるハードウェアの故障を減らすことができ、本体内のデータの消失を低減させることができる携帯端末装置及びそれに用いる水没保護回路を提供することにある。
【課題を解決するための手段】
【０００９】
本発明による携帯端末装置は、本体の内部回路に電源を供給する手段と、本体の少なくとも液体への水没を含む水濡れ状態を検出する検出手段とを含む携帯端末装置であって、前記検出手段による前記水濡れ状態の検出時に前記内部回路への電源の供給を遮断する電源遮断回路を備えている。
【００１０】
本発明による水没保護回路は、本体の内部回路に電源を供給する手段と、本体の少なくとも液体への水没を含む水濡れ状態を検出する検出手段とを含む携帯端末装置に用いられる水没保護回路であって、前記検出手段による前記水濡れ状態の検出時に前記内部回路への電源の供給を遮断する電源遮断回路を備えている。
【００１１】
すなわち、本発明の携帯端末装置は、本体の水没等の水濡れ状態を検出した時に、本体の内部回路が水等の液体で短絡する前に、本体の内部回路に供給する電源を遮断し、水等の液体による本体の内部回路の短絡を防止する機能を備えている。
【００１２】
携帯電話機等の携帯端末装置では、防水ケースに収納する等の防水処理がされていない時に水没すると、通常、本体内部に水が入り込んで、内部回路が短絡してハードウェアが故障してしまう。
【００１３】
しかしながら、本発明の携帯端末装置では、本体の水没等の水濡れ状態が検出されると、電源が遮断されるので、上記のようなハードウェアの故障を少なくすることが可能となる。また、本発明の携帯端末装置では、内部回路の短絡を防止しているので、上記の内部回路に蓄積されたデータの消失を少なくすることが可能となる。
【発明の効果】
【００１４】
本発明は、以下に述べるような構成及び動作とすることで、水没等の水濡れ状態によるハードウェアの故障を減らすことができ、本体内のデータの消失を低減させることができるという効果が得られる。
【発明を実施するための最良の形態】
【００１５】
次に、本発明の実施例について図面を参照して説明する。図１は本発明の一実施例による携帯電話機の構成を示すブロック図である。図１において、携帯電話機１はアンテナ１１と、送受信部１２と、送受信制御部１３と、制御部１４と、記憶部１５と、水没検出部１６と、表示部１７と、入力部１８と、音声処理回路１９と、電源遮断回路２０と、電源２１とから構成されている。
【００１６】
送受信部１２はアンテナ１１を介して図示せぬ無線基地局との間で無線による発着信を行い、送受信制御回路１３は送受信部１２による発着信処理を制御する。制御部１４は全体の制御処理を行い、記憶部１５は制御部１４で実行されるプログラムや電話帳等の個人データを格納する。
【００１７】
水没検出部１６は本体における水没等の水濡れ状態（水以外の液体による水濡れ状態を含む）を検出する。表示部１７は情報を可視表示し、入力部１８はキースイッチ等によってユーザからのデータや指示等の情報を入力し、音声処理回路１９は通話に必要な音声を処理する。
【００１８】
電源２１は上記の各部に必要な電源を供給し、電源遮断回路２０は電源２１から各部への電源供給を遮断する。尚、図１においては、各部への電源の供給を破線にて表しており、制御部１４を中心とする信号の授受を実線にて表している。
【００１９】
図２は本発明の一実施例による内部回路の短絡防止処理を示すフローチャートである。これら図１及び図２を参照して本発明の一実施例による内部回路の短絡防止処理について説明する。
【００２０】
水没検出部１６は携帯電話機１本体が水没した時に水が浸入しやすい箇所に設置されており、水が浸入した時に水没状態を検出し、制御部１４に対して水没状態の信号を送る。
【００２１】
制御部１４は水没検出部１６を通して本体の水没状態を監視しており（図２ステップＳ１）、水没検出部１６からの水没状態の信号を受けて水没状態を検出すると（図２ステップＳ２）、電源遮断回路２０に対して電源遮断信号を送る（図２ステップＳ３）。
【００２２】
電源遮断回路２０は制御部１４から電源遮断信号を受けると、電源２１から各部へと供給されている電源を遮断し、携帯電話機１内部で電源２１と電源遮断回路２０との間以外には電源が供給されなくなる。
【００２３】
電源２１と電源遮断回路２０との間の配線は水没しても短絡されないような配線設計を行うか、あるいは電源２１と電源遮断回路２０とその間の配線とに対して防水処理を施す等によって、携帯電話機１が水没し、携帯電話機１の内部に水が浸入した時点で、内部回路への電源がすべて遮断されるため、内部回路の短絡発生を防止することができる。
【００２４】
その後、携帯電話機１を十分に乾燥させることによって、携帯電話機１の電源を入れることが可能となり、記憶部１５に記憶された個人データを取出すことが可能となる。
【００２５】
このように、本実施例では、携帯電話機１本体の水没状態を検出した時に内部回路への電源供給を遮断することで、水没等の水濡れ状態によるハードウェアの故障を減らすことができ、本体内のデータの消失を低減させることができる。
【００２６】
尚、本発明の一実施例では、携帯電話機１について述べたが、携帯電話機１以外にも、小型化が進むデジタルカメラ、ＰＤＡ（Ｐｅｒｓｏｎａｌ  Ｄｉｇｉｔａｌ  Ａｓｓｉｓｔａｎｔ）等の携帯端末装置においても、上記の水没検出部１６及び電源遮断回路２０を応用することによって、個人データの消失を防ぐことが可能となる。また、水没検出部１６としては、上記の特許文献３の技術を適用することも可能である。
【図面の簡単な説明】
【００２７】
【図１】本発明の一実施例による携帯電話機の構成を示すブロック図である。
【図２】本発明の一実施例による内部回路の短絡防止処理を示すフローチャートである。
【符号の説明】
【００２８】
１  携帯電話機
１１  アンテナ
１２  送受信部
１３  送受信制御部
１４  制御部
１５  記憶部
１６  水没検出部
１７  表示部
１８  入力部
１９  音声処理回路
２０  電源遮断回路
２１  電源
【図１】
2005311637.tif 000003
【図２】
2005311637.tif 000004